(57)【要約】      （修正有）【課題】優れた防振効果及びコントロール性を有するバドミントンラケットを提供する。【解決手段】ヘッド３０は、シャフト２０の一端で且つ同一平面に設けられ、外環面３２、内環面３３、外環面３２に設けられた多数の外通し孔、内環面３３に設けられて外通し孔と対応する多数の内通し孔及び内環面３３に設けられた多数の凸部３６を有する。多数のリベットは、ヘッド３０の外通し孔と内通し孔を通るボディ部、ボディ部の一端が延伸して外環面３２に貼り付いている頭部及びガット線が通ることに用いられる軸孔を備える。内通し孔は凸部３６の中に位置し、内通し孔は平面方向に垂直な内径がリベットのボディ部の外径より大きく、リベットは平面方向に沿って垂直に揺れ動く。【選択図】図１
0003114950.tif 000002
【実用新案登録請求の範囲】
【請求項１】
バドミントンラケットであり、
シャフトを含み、
ヘッドは、前記シャフトの一端且つ前記シャフトと同一平面に設けられ、前記ヘッドは外環面、内環面、前記外環面に設けられた多数の外通し孔、前記内環面に設けられて外通し孔と対応する多数の内通し孔及び前記ヘッドの内環面に設けられた多数の凸部を有し、
多数のリベットは、それぞれのリベットが前記ヘッドの外通し孔と内通し孔を通るボディ部、前記ボディ部の一端が延伸して前記ヘッドの外環面に貼り付いている頭部及びガット線が通ることに用いられる軸孔を備え、
内通し孔は凸部の中に位置し、内通し孔は前記平面方向に垂直な内径がリベットのボディ部の外径より大きく、リベットは前記平面方向に沿って垂直に揺れ動くことを特徴とするバドミントンラケット。
【請求項２】
内通し孔は、円孔であることを特徴とする請求項１記載のバドミントンラケット。
【請求項３】
内通し孔は、長形の孔であることを特徴とする請求項１記載のバドミントンラケット。
【考案の詳細な説明】
【技術分野】
【０００１】
本考案は、運動器材と関連があり、特に、バドミントンラケットを指し、コントロール性が優れ、且つ極めて優れた防振効果を備えるものである。
【背景技術】
【０００２】
従来のバドミントンラケットは、シャフト、シャフトの一端に設けられたグリップ及び該シャフトのもう一端に設けられたヘッドを備えていて、該ヘッドは多数の通し孔を有し、多数のリベットを通すことに用いられている。それぞれのリベットは軸孔を有し、ガット線を通して打球面を形成することに用いられ、ヘッド構造強度の低下を避けるため、一般的に通し孔の孔径はできるだけ小さくされ、ちょうどリベットを通すだけに使われている。しかし、この種の構造のバドミントンラケットの防振機能は、優れていない。
【考案の開示】
【考案が解決しようとする課題】
【０００３】
本考案の目的は、極めて優れた防振効果を有するバドミントンラケットを提供することにある。
本考案のもう一つの目的は、コントロール性が極めて優れたバドミントンラケットを提供することにある。
【課題を解決するための手段】
【０００４】
前掲の目的を達成するため、本考案の提供するバドミントンラケットは、シャフト、ヘッド及び多数のリベットを含み、該ヘッドは該シャフトの一端に設けられ、且つ該シャフトと同一平面に位置し、該ヘッドは外環面、内環面、該外環面に設けられた多数の外通し孔、該内環面に設けられて外通し孔と対応する多数の内通し孔及び該ヘッドの内環面に設けられた多数の凸部を有し、それぞれのリベットは該ヘッドの外通し孔と内通し孔を通るボディ部、該ボディ部の一端が延伸して該ヘッドの外環面に貼り付いている頭部及びガット線が通ることに用いられる軸孔を有する。そのうち、内通し孔は凸部の中に位置し、内通し孔は該平面方向に垂直な内径がリベットのボディ部の外径より大きく、リベットは該平面の垂直方向に沿って揺れ動くことができる。
【考案を実施するための最良の形態】
【０００５】
本考案の構造及び特徴の所在を詳細に説明するため、ここに以下の二つの比較的優れた実施例並びに図式を組み合わせて挙げ、下記の如く説明する。
図１は、本考案の比較的優れた第一実施例の正面図である。
【０００６】
図２は、本考案の比較的優れた第一実施例の局部の断面図である。
図３は、本考案の比較的優れた第一実施例の局部の側面図である。
図４は、本考案の比較的優れた第二実施例の局部の断面図である。
図５は、本考案の比較的優れた第二実施例の局部の側面図である。
【０００７】
図１及び図３を参照する。本考案の比較的優れた第一実施例の提供するバドミントンラケット１０は、シャフト２０、グリップ（図中未表示）、ヘッド３０、多数のリベット４０及びガット線５０を含む。
【０００８】
該グリップは該シャフト２０の一端に設けられ、該ヘッド３０は該シャフト２０のもう一端に設けられて該シャフト２０と同一平面Ｐに位置し、該ヘッド３０は外環面３２、内環面３３、該外環面３２に設けられる多数の外通し孔３４、該内環面３３に設けられて外通し孔３４と対応している多数の内通し孔３５及び該内環面３３に設けられる多数の凸部３６を有していて、凸部３６の設置はヘッド３０の構造強度を上げることに有効であり、且つそれぞれの凸部３６はそれぞれ内通し孔３５を有している。
【０００９】
それぞれのリベット４０は、該ヘッド３０の外通し孔３４と内通し孔３５を通るボディ部４２及び該ボディ部４２の一端が延伸して該ヘッド３０の外環面３２に貼り付いている頭部４４を有し、軸孔４６は該ガット線５０が通ることに用いられ、該ガット線は該平面Ｐ上にて打面を織り成している。
【００１０】
図３に示すように、内通し孔３５は長形の孔であり、該内通し孔３５は該平面Ｐ方向に沿って平行な内径３５１が該リベット４０のボディ部４２の外径４２１とおおまか同じで、該リベット４０の末端４８は図示のＸ方向に沿っては移動せず、相対的に該内通し孔３５は該平面Ｐ方向に沿って垂直な内径３５２が該リベット４０のボディ部４２の外径４２１より大きく、該リベット４０の末端４８は図示のＹ方向に沿って移動可能で、このほか該外通し孔３４は円孔であり、且つちょうど該リベット４０を通すことに供され、該リベット４０の頭部４４は位置を移動させることがなく、従って、全体的にみると、該リベット４０は該平面Ｐの方向（即ち、Ｙ方向）に沿って垂直に左右に揺れ動くことができる。
【００１１】
使用者が該バドミントンラケット１０を用いてボールを打つ際、打球の瞬間のガット線５０は主に該平面Ｐの法線方向（即ち、Ｙ方向）に向かって変形し、この時、該リベット４０は即ちＹ方向に沿って揺れ動くことができ、一方では、ガット線５０からヘッド３０へ伝わる振動の強度を低下させることができ、もう一方では、ガット線５０の変形空間を増加させることができ、バドミントンラケット全体のコントロール性を向上させ、本考案の目的を達成する。
【００１２】
特筆すべきは、一般的なバドミントンラケットのヘッド構造は比較的繊細であり、比較的大きな通し孔はヘッド構造強度の大幅な低下を招いていて、従って、現在市場ではこのような構造は未だ見受けられることがなく、本実施例では、ヘッド３０に長形の内通し孔３５を設置し、凸部３６は効果的にヘッド３０の構造強度を増加させることができ、本実施例のバドミントンラケットは一般的なラケットに較べて優れた機械的強度を備えることとなる。
【００１３】
本実施例の精神に依拠し、内通し孔の形状及び寸法は多種の変化を有することができ、ただ内通し孔の平面Ｐ方向に沿って垂直な内径がリベットのボディ部の外径より大きければよく、図４及び図５に示すように、本考案の比較的優れた第二実施例の提供するバドミントンラケット６０では、ヘッド６２の内通し孔６４は円孔であり、且つ該内通し孔６４の直径６５はリベット６６のボディ部６７の外径６８より大きく、これにより、ガット線（図中未表示）が力を受けて変形する時、該リベット６６は平面Ｐの方向（即ち、Ｙ方向）に沿って垂直に揺れ動いて振動エネルギーを吸収し、更に平面Ｐの方向（即ち、Ｘ方向）に沿って平行に揺れ動き、エネルギー吸収能力とコントロール性が更に優れているものである。
【００１４】
このほかに、第二実施例では、凸部７０の長さが比較的長く、それぞれの凸部７０の中に二つの内通し孔６４を設置することができ、これらもまた構造変化と考えることができ、本考案の実用新案申請範囲に含まれる。
【図面の簡単な説明】
【００１５】
【図１】本考案の第一実施例によるバドミントンラケットを示す正面図である。
【図２】本考案の第一実施例によるバドミントンラケットの局部を示す断面図である。
【図３】本考案の第一実施例によるバドミントンラケットの局部を示す側面図である。
【図４】本考案の第二実施例によるバドミントンラケットの局部を示す断面図である。
【図５】本考案の第二実施例によるバドミントンラケットの局部を示す側面図である。
【符号の説明】
【００１６】
１０  バドミントンラケット、２０  シャフト、３０  ヘッド、３２  外環面、３３  内環面、３４  外通し孔、３５  内通し孔、３６  凸部、４０  リベット、４２  ボディ部、４４  頭部、４６  軸孔、４８  末端、５０  ガット線、６０  バドミントンラケット、６２  ヘッド、６４  内通し孔、６５  直径、６６  リベット、６７  ボディ部、６８  外径、７０  凸部、３５１  内径、３５２  内径、４２１  外径
【図１】
0003114950.tif 000003
【図２】
0003114950.tif 000004
【図３】
0003114950.tif 000005
【図４】
0003114950.tif 000006
【図５】
0003114950.tif 000007